(57)【要約】【課題】ｎ次著作物の創作をより容易に行う。【解決手段】著作物生成装置１００であって、ｎ（ｎ；２以上の自然数）次著作物の生成に用いられた著作物の出所を示す出所情報を取得する出所情報取得部５ｅと、取得された出所情報をｎ次著作物の生成に用いられた著作物の利用に係る所定の利用規則に従って表示するための表示情報を生成する画像生成部５ｆと、生成された表示情報がｎ次著作物とともに表示されるように、ｎ次著作物と表示情報とを関連付ける画像関連付部５ｇと、を備えている。【選択図】図１
2015064871.tif 000002
【特許請求の範囲】
【請求項１】
ｎ（ｎ；２以上の自然数）次著作物の生成に用いられた著作物の出所を示す出所情報を取得する第１取得手段と、
前記第１取得手段により取得された前記出所情報を前記ｎ次著作物の生成に用いられた著作物の利用に係る所定の利用規則に従って表示するための表示情報を生成する生成手段と、
前記生成手段により生成された表示情報と当該ｎ次著作物とを関連付ける表示情報関連付け手段と、
を備えることを特徴とする著作物生成装置。
【請求項２】
前記ｎ次著作物は、複数のフレーム画像から構成される動画であり、
前記表示情報関連付け手段は、
前記生成手段により生成された前記表示情報に基づく画像を、前記ｎ次著作物の複数のフレーム画像に追加することを特徴とする請求項１に記載の著作物生成装置。
【請求項３】
前記ｎ次著作物の生成に用いられた前記著作物と関連付けられ、当該著作物を前記所定の利用規則に従って利用するための利用条件情報に基づいて、前記ｎ次著作物の編集をユーザに指示する編集指示手段と、
前記ｎ次著作物の生成に用いられた前記著作物に前記利用条件情報が含まれているか否かを判定する判定手段と、
前記判定手段により前記著作物に前記利用条件情報が含まれていると判定された場合に、当該著作物から前記利用条件情報を取得する第２取得手段と、
前記判定手段により前記著作物に前記利用条件情報が含まれていないと判定された場合に、前記著作物に前記利用条件情報が含まれていない旨を報知する報知手段と、を備え、
前記編集指示手段は、
前記ｎ次著作物が前記著作物の利用条件を満たしているか否かを判定し、当該判定の結果、前記著作物の利用条件を満たしていないと判定された場合に、前記ｎ次著作物の生成に用いられた著作物の利用条件を満たすように前記ｎ次著作物の編集をユーザに指示する一方で、前記判定手段により前記著作物に前記利用条件情報が含まれていると判定された場合に、前記第２取得手段により取得された前記利用条件情報に基づいて、前記ｎ次著作物の編集をユーザに指示することを特徴とする請求項１または２に記載の著作物生成装置。
【請求項４】
前記著作物を識別する識別情報と当該著作物の前記利用条件情報とを対応付けて記憶する利用条件記憶手段と、
前記利用条件記憶手段から前記ｎ次著作物の生成に用いられた前記著作物の前記識別情報と対応付けられている前記利用条件情報を取得する第２取得手段と、を更に備え、
前記編集指示手段は、
前記第２取得手段により取得された前記利用条件情報に基づいて、前記ｎ次著作物の編集をユーザに指示することを特徴とする請求項３に記載の著作物生成装置。
【請求項５】
ｎ（ｎ；２以上の自然数）次著作物の生成に用いられた著作物の出所を示す出所情報を複数取得する第１取得手段と、
前記第１取得手段により取得された前記複数の出所情報を互いに関連付けて前記ｎ次著作物の出所情報として記憶する出所情報記憶手段と、
を備えることを特徴とする著作物生成装置。
【請求項６】
前記出所情報記憶手段は、
前記ｎ次著作物自体の出所を示す出所情報を更に記憶することを特徴とする請求項５に記載の著作物生成装置。
【請求項７】
前記ｎ次著作物の生成に用いられた著作物の当該著作物を所定の利用規則に従って利用するための利用条件情報を取得する第２取得手段と、
前記第２取得手段により取得された前記利用条件情報を前記ｎ次著作物の利用条件情報として記憶する利用条件記憶手段と、
を備えることを特徴とする請求項５または６に記載の著作物生成装置。
【請求項８】
前記利用条件記憶手段は、
前記ｎ次著作物自体の前記利用条件情報を更に記憶することを特徴とする請求項７に記載の著作物生成装置。
【請求項９】
前記出所情報記憶手段に記憶された出所情報を前記ｎ次著作物の生成に用いられた著作物の利用に係る所定の利用規則に従って表示するための表示情報を生成する生成手段を更に備えることを特徴とする請求項５に記載の著作物生成装置。
【請求項１０】
前記生成手段により生成された前記表示情報と当該ｎ次著作物とを関連付けることを特徴とする請求項９に記載の著作物生成装置。
【請求項１１】
著作物生成装置を用いた著作物生成方法であって、
ｎ（ｎ；２以上の自然数）次著作物の生成に用いられた著作物の出所を表す出所情報を取得する処理と、
取得された前記出所情報を前記ｎ次著作物の生成に用いられた著作物の利用に係る所定の利用規則に従って表示するための表示情報を生成する処理と、
生成された表示情報と当該ｎ次著作物とを関連付ける処理と、
を含むことを特徴とする著作物生成方法。
【請求項１２】
著作物生成装置を用いた著作物生成方法であって、
ｎ（ｎ；２以上の自然数）次著作物の生成に用いられた著作物の出所を示す出所情報を複数取得する処理と、
取得された複数の出所情報を互いに関連付けて前記ｎ次著作物の出所情報として記憶する処理と、
を含むことを特徴とする著作物生成方法。
【請求項１３】
著作物生成装置のコンピュータを、
ｎ（ｎ；２以上の自然数）次著作物の生成に用いられた著作物の出所を表す出所情報を取得する取得手段、
前記取得手段により取得された前記出所情報を前記ｎ次著作物の生成に用いられた著作物の利用に係る所定の利用規則に従って表示するための表示情報を生成する生成手段、
前記生成手段により生成された表示情報と前記表示情報とを関連付ける表示情報関連付け手段、
として機能させることを特徴とするプログラム。
【請求項１４】
著作物生成装置のコンピュータを、
ｎ（ｎ；２以上の自然数）次著作物の生成に用いられた著作物の出所を示す出所情報を複数取得する取得手段、
前記取得手段により取得された前記複数の出所情報を互いに関連付けて前記ｎ次著作物の出所情報として記憶する出所情報記憶手段、
として機能させることを特徴とするプログラム。
【発明の詳細な説明】
【技術分野】
【０００１】
本発明は、著作物生成装置、著作物生成方法及びプログラムに関する。
【背景技術】
【０００２】
従来、一般のユーザによる動画創作活動が盛んに行われているが、他者の作成した著作物を利用する場合、当該著作物の著作権に配慮する必要がある。例えば、他者の作成した著作物を他者に無断で編集や公開をしてしまうことがないように、つまり、著作権を守りながら二次著作物の創作を行わなければならない。
そこで、著作者の権利を保護しつつ、著作物の利用を容易とする二次著作物作成システムが知られている（例えば、特許文献１参照）。また、著作権を保持したまま、著作物を自由に流通させるために設けられた著作権に関する規則として、クリエイティブ・コモンズ・ライセンスも知られている。
【先行技術文献】
【特許文献】
【０００３】
【特許文献１】特開２００４−１１８３２４号公報
【発明の概要】
【発明が解決しようとする課題】
【０００４】
しかしながら、上記特許文献１の二次著作物作成システムを利用しても、二次著作物の素材として用いられる他者の著作物の数が多くなると、ユーザは依然として煩雑な作業を強いられる。また、クリエイティブ・コモンズ・ライセンスの条件を満たしながら二次著作物を創作する場合も、同様の問題が生じる。
【０００５】
本発明は、このような問題に鑑みてなされたものであり、本発明の課題は、ｎ次著作物の創作をより容易に行うことができる著作物生成装置、著作物生成方法及びプログラムを提供することである。
【課題を解決するための手段】
【０００６】
上記課題を解決するため、本発明に係る著作物生成装置は、
ｎ（ｎ；２以上の自然数）次著作物の生成に用いられた著作物の出所を示す出所情報を取得する第１取得手段と、前記第１取得手段により取得された前記出所情報を前記ｎ次著作物の生成に用いられた著作物の利用に係る所定の利用規則に従って表示するための表示情報を生成する生成手段と、前記生成手段により生成された表示情報が前記ｎ次著作物とともに表示されるように、当該ｎ次著作物と前記表示情報とを関連付ける表示情報関連付け手段と、を備えることを特徴としている。
【０００７】
また、本発明に係る著作物生成装置は、
ｎ（ｎ；２以上の自然数）次著作物の生成に用いられた著作物の出所を示す出所情報を複数取得する取得手段と、前記取得手段により取得された前記複数の出所情報を互いに関連付けて前記ｎ次著作物の出所情報として記憶する出所情報記憶手段と、を備えることを特徴としている。
【０００８】
また、本発明に係る著作物生成方法は、
著作物生成装置を用いた著作物生成方法であって、ｎ（ｎ；２以上の自然数）次著作物の生成に用いられた著作物の出所を表す出所情報を取得する処理と、取得された前記出所情報を前記ｎ次著作物の生成に用いられた著作物の利用に係る所定の利用規則に従って表示するための表示情報を生成する処理と、生成された表示情報が前記ｎ次著作物とともに表示されるように、当該ｎ次著作物と前記表示情報とを関連付ける処理と、を含むことを特徴としている。
【０００９】
また、本発明に係る著作物生成方法は、
著作物生成装置を用いた著作物生成方法であって、ｎ（ｎ；２以上の自然数）次著作物の生成に用いられた著作物の出所を示す出所情報を複数取得する処理と、取得された複数の出所情報を互いに関連付けて前記ｎ次著作物の出所情報として記憶する処理と、を含むことを特徴としている。
【００１０】
また、本発明に係るプログラムは、
著作物生成装置のコンピュータを、ｎ（ｎ；２以上の自然数）次著作物の生成に用いられた著作物の出所を表す出所情報を取得する取得手段、前記取得手段により取得された前記出所情報を前記ｎ次著作物の生成に用いられた著作物の利用に係る所定の利用規則に従って表示するための表示情報を生成する生成手段、前記生成手段により生成された表示情報が前記ｎ次著作物とともに表示されるように、当該ｎ次著作物と前記表示情報とを関連付ける表示情報関連付け手段、として機能させることを特徴としている。
【００１１】
また、本発明に係るプログラムは、
著作物生成装置のコンピュータを、ｎ（ｎ；２以上の自然数）次著作物の生成に用いられた著作物の出所を示す出所情報を複数取得する取得手段、前記取得手段により取得された前記複数の出所情報を互いに関連付けて前記ｎ次著作物の出所情報として記憶する出所情報記憶手段、として機能させることを特徴としている。
【発明の効果】
【００１２】
本発明によれば、ｎ次著作物の創作をより容易に行うことができる。
【図面の簡単な説明】
【００１３】
【図１】本発明を適用した一実施形態の著作物生成装置の概略構成を示すブロック図である。
【図２】図１の著作物生成装置により生成されるコンテンツ情報テーブルの一例を模式的に示す図である。
【図３】図１の著作物生成装置により生成されるクレジット画像データの一例を模式的に示す図である。
【図４】図１の著作物生成装置に記憶されているラインセンス情報テーブルの一例を模式的に示す図である。
【図５】図１の著作物生成装置による著作物生成処理に係る動作の一例を示すフローチャートである。
【図６】変形例１の著作物生成装置の概略構成を示すブロック図である。
【発明を実施するための形態】
【００１４】
以下に、本発明について、図面を用いて具体的な態様を説明する。ただし、発明の範囲は、図示例に限定されない。
図１は、本発明を適用した一実施形態の著作物生成装置１００の概略構成を示すブロック図である。
【００１５】
著作物生成装置１００は、例えば、パーソナルコンピュータやワークステーションなどのコンピュータにより構成され、図１に示すように、中央制御部１と、メモリ２と、操作入力部３と、通信制御部４と、編集処理部５と、表示部６と、表示制御部７と、スピーカ８と、放音制御部９等を備えている。
また、中央制御部１、メモリ２、通信制御部４、表示制御部７及び放音制御部９は、バスライン１０を介して接続されている。
【００１６】
中央制御部１は、著作物生成装置１００の各部を制御するものである。具体的には、中央制御部１は、ＣＰＵ（Central Processing Unit；図示略）等を備え、著作物生成装置１００用の各種処理プログラム（図示略）に従って各種の制御動作を行う。
【００１７】
メモリ２は、例えば、ＤＲＡＭ（Dynamic Random Access Memory）等により構成され、中央制御部１、印影情報処理部５等によって処理されるデータ等を一時的に記憶するバッファメモリや、中央制御部１などのワーキングメモリ、当該著作物生成装置１００の機能に係る各種プログラムやデータが格納されたプログラムメモリ等（何れも図示略）を備えている。
【００１８】
操作入力部３は、例えば、数値、文字等を入力するためのデータ入力キーや、データの選択、送り操作等を行うための上下左右移動キーや各種機能キー等によって構成されるキーボードやマウス等の操作部（図示略）を備え、これらの操作部の操作に応じて所定の操作信号を中央制御部１に出力する。
【００１９】
通信制御部４は、例えば、モデム、ターミナルアダプタ等によって構成され、所定の通信ネットワークＮを介して接続されたサーバ２００との間で情報の通信制御を行う。
具体的には、通信制御部４は、例えば、著作物編集処理にてサーバ２００から所定の通信ネットワークＮを介して送信されたコンテンツ情報（著作物）Ｄを受信する。
【００２０】
ここで、サーバ２００は、例えば、Ｗｅｂ（World Wide Web）サーバ２００としてインターネット上にＷｅｂページ（例えば、コンテンツ提供ページ等）を開設する機能を具備するものである。
具体的には、例えば、サーバ２００は、クリエイティブ・コモンズ・ライセンス（詳細後述）の各種の利用条件情報が関連付けられたコンテンツ情報Ｄを記憶し、これらコンテンツ情報Ｄを提供するコンテンツ提供ページを開設する。
【００２１】
クリエイティブ・コモンズ・ライセンスの利用条件情報とは、コンテンツ情報Ｄを当該クリエイティブ・コモンズ・ライセンスの利用規則に従って利用するための条件を規定する情報である。このクリエイティブ・コモンズ・ライセンスの利用条件情報としては、例えば、「表示；BY」、「非営利；NC」、「改変禁止；ND」、「継承；SA」等がある。
「表示」とは、作品（著作物）を複製、頒布、展示、実演を行うにあたり、著作権者の表示を要求する条件である。また、「非営利」は、作品を複製、頒布、展示、実演を行うにあたり、非営利目的での利用に限定する条件である。また、「改変禁止」は、作品を複製、頒布、展示、実演を行うにあたり、いかなる改変も禁止する条件である。また、「継承」は、クリエイティブ・コモンズ・ライセンスが付与された作品を改変・変形・加工してできた作品（ｎ次著作物）についても、元になった作品のライセンスを継承させた上で頒布を認める条件である。
なお、クリエイティブ・コモンズ・ライセンスの利用条件情報として、著作権が発生していない状態又は消滅した状態のことを表す「パブリックドメイン；PD」が規定されていても良い。
【００２２】
コンテンツ情報Ｄは、上記の「表示」、「非営利」、「改変禁止」、「継承」、「パブリックドメイン」等の各種の利用条件情報が関連付けられてサーバ２００に記憶されている。また、コンテンツ情報Ｄは、コンテンツの「タイトル名」、「著作者名」等の当該コンテンツの出所を示す出所情報が関連付けられてサーバ２００に記憶されている。
具体的には、コンテンツ情報Ｄは、例えば、コンテンツの内容を表す本体情報と、当該コンテンツの出所情報（例えば、「タイトル名」等）、当該コンテンツの利用条件情報（例えば、「表示」等）を含んで構成されている。
【００２３】
そして、サーバ２００は、著作物生成装置１００等の外部機器からのアクセスに応じて、Ｗｅｂページのページ情報やユーザ所望のコンテンツ情報（例えば、動画像情報や静止画像情報や音情報等）Ｄなどを所定の通信ネットワークＮを介して送信する。そして、著作物生成装置１００の通信制御部４は、サーバ２００から送信されたコンテンツ情報Ｄを受信して、メモリ２に一時的に格納させる。
【００２４】
なお、サーバ２００は、通信ネットワークＮに接続可能でコンテンツ情報Ｄを記憶可能なコンピュータ等から構成されたものであれば如何なる構成であっても良く、その詳細な説明は省略する。また、サーバ２００に記憶されているコンテンツ情報Ｄは、当該コンテンツ情報Ｄの著作者が既存の著作物に依拠することなく独自に創作した著作物であっても良いし、既存の著作物を利用したｎ次著作物であっても良い。
【００２５】
また、通信ネットワークＮは、例えば、著作物生成装置１００を無線基地局やゲートウェイサーバ（図示略）等を介してサーバ２００等の外部機器と接続する通信ネットワークである。
また、通信ネットワークＮは、例えば、専用線や既存の一般公衆回線を利用して構築された通信ネットワークであり、ＬＡＮ（Local Area Network）やＷＡＮ（Wide Area Network）等の様々な回線形態を適用することが可能である。また、通信ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。
【００２６】
編集処理部５は、ｎ次著作物生成部５ａと、判定部５ｂと、第１条件取得部５ｃと、報知制御部５ｄと、出所情報取得部５ｅと、画像生成部５ｆと、画像関連付部５ｇと、編集指示部５ｈ等を具備している。
なお、編集処理部５の各部は、例えば、所定のロジック回路から構成されているが、当該構成は一例であってこれに限られるものではない。
【００２７】
ｎ次著作物生成部５ａは、ユーザ所望の新たな著作物（ｎ次著作物）を生成する。
即ち、ｎ次著作物生成部５ａは、例えば、サーバ２００により公開されている複数のコンテンツ情報Ｄ、…の中で、ユーザによる操作入力部３の所定操作に基づいて指定されたユーザ所望のコンテンツ情報Ｄや、ユーザが既存の著作物に依拠することなく独自に創作した創作物等を利用して、ｎ次著作物（ｎ；２以上の自然数）を生成する。具体的には、例えば、ｎ次著作物生成部５ａは、サーバ２００から送信され通信制御部４により受信されたユーザ所望の複数のコンテンツ情報Ｄ、…をメモリ２から取得し、当該コンテンツ情報Ｄに含まれている本体情報をユーザ所望の順序で並べ変えたり、コンテンツの一部分を利用したり、ＢＧＭ（バックグラウンドミュージック）として指定して、当該コンテンツ情報Ｄを二次的に利用した二次著作物（例えば、動画像等）を生成する。
生成された二次著作物のデータは、メモリ２に出力されて、当該メモリ２に一時的に記憶される。
【００２８】
判定部（判定手段）５ｂは、ｎ次著作物生成部５ａによるｎ次著作物の生成に用いられた著作物に利用条件情報が含まれているか否かを判定する。
具体的には、判定部５ｂは、例えば、サーバ２００から送信され通信制御部４により受信されたユーザ所望の複数のコンテンツ情報Ｄ、…や、ユーザが既存の著作物に依拠することなく独自に創作した創作物の各々について、クリエイティブ・コモンズ・ライセンスの利用規則に従って利用するための利用条件情報（例えば、「表示」等）が付帯されているか否かを判定する。
【００２９】
第１条件取得部５ｃは、ｎ次著作物の生成に用いられた著作物から利用条件情報を取得する。
即ち、第１条件取得部（第２取得手段）５ｃは、判定部５ｂによりｎ次著作物の生成に用いられた著作物（例えば、コンテンツ情報Ｄ等）に利用条件情報が含まれていると判定された場合に、当該著作物から利用条件情報を抽出して取得する。
取得された利用条件情報は、対応する著作物と関連付けられてメモリ２に出力され、当該メモリ２に一時的に記憶される。
【００３０】
報知制御部５ｄは、ｎ次著作物の生成に用いられた著作物に利用条件情報が含まれていない旨の報知を制御する。
即ち、報知制御部５ｄは、判定部５ｂによりｎ次著作物の生成に用いられた著作物（例えば、サーバ２００以外の外部機器から取得した著作物等）に利用条件情報が含まれていないと判定された場合に、著作物に利用条件情報が含まれていない旨を所定の報知態様で報知させるように表示部６やスピーカ８等の報知手段を制御する。
具体的には、報知制御部５ｄは、例えば、著作物に利用条件情報が含まれていないことを表す警告画面（図示略）を表示部６に表示させるための表示制御指示を表示制御部７に出力する。また、報知制御部５ｄは、例えば、著作物に利用条件情報が含まれていないことを表す警告音をスピーカ８から放音させるための放音制御指示を放音制御部９に出力する。
そして、表示制御部７は、報知制御部５ｄから出力された表示制御指示が入力されると、当該表示制御指示に従って所定の警告画面を表示部６に表示させる。また、放音制御部９は、報知制御部５ｄから出力された放音制御指示が入力されると、当該放音制御指示に従って所定の警告音をスピーカ８から放音させる。
【００３１】
出所情報取得部（第１取得手段）５ｅは、ｎ次著作物の生成に用いられた著作物の出所を示す出所情報を取得する。
具体的には、出所情報取得部５ｅは、例えば、ｎ次著作物の生成に用いられたコンテンツ情報Ｄの各々をメモリ２から取得し、各コンテンツ情報Ｄに含まれている、「タイトル名」、「著作者名」、「公開された年」等の当該各コンテンツ情報Ｄの出所を示す出所情報をそれぞれ取得する。そして、出所情報取得部５ｅは、取得した出所情報を、各コンテンツ情報Ｄの識別情報「ＩＤ」と対応付けてコンテンツ情報テーブルＴ１（図２参照）を生成する。
このとき、出所情報取得部５ｅは、コンテンツ情報テーブルＴ１に、第１条件取得部５ｃにより取得された各コンテンツ情報Ｄに含まれている利用条件情報（ライセンス）を対応付けて記憶させても良い。
なお、図２に示すコンテンツ情報テーブルＴ１にあっては、各コンテンツ情報Ｄの識別情報「ＩＤ」として、動画像（Ｖｉｄｅｏ）を「Ｖ」で表し、静止画像（Ｐｉｃｔｕｒｅ）を「Ｐ」で表し、音楽（Ｍｕｓｉｃ）を「Ｍ」で模式的に表している。また、コンテンツ情報テーブルＴ１の内容は、一例であってこれに限られるものではなく、適宜任意に変更可能である。
なお、例えば、ユーザが操作入力部３を所定操作してｎ次著作物自体の出所情報を別途入力する等した場合には、コンテンツ情報テーブルＴ１にｎ次著作物自体の出所情報を更に記憶させても良い。
【００３２】
画像生成部５ｆは、クレジット画像データＣを生成する。
即ち、画像生成部（生成手段）５ｆは、出所情報取得部５ｅにより取得された出所情報を著作物の利用に係る所定の利用規則（例えば、クリエイティブ・コモンズ・ライセンスの利用規則）に従って表示するためのクレジット画像データＣ（表示情報）を生成する。具体的には、画像生成部５ｆは、ｎ次著作物の生成に利用された複数のコンテンツ情報Ｄ、…（例えば、静止画像や動画像等）の使用タイミングや再生時間等を表すタイムテーブルに沿って、出所情報取得部５ｅにより取得された複数のコンテンツ情報Ｄ、…に対応する出所情報（例えば、「タイトル名」や「著作者名」等）を並べたクレジット画像データＣ（図３参照）を生成する。
なお、クレジット画像データＣの内容は、一例であってこれに限られるものではなく、適宜任意に変更可能である。
【００３３】
画像関連付部（表示情報関連付け手段）５ｇは、クレジット画像データＣとｎ次著作物とを関連付ける。
即ち、画像関連付部５ｇは、画像生成部５ｆにより生成されたクレジット画像データＣに基づく画像がｎ次著作物とともに表示されるように、当該ｎ次著作物とクレジット画像データＣとを関連付ける。具体的には、例えば、ｎ次著作物が複数のフレーム画像から構成されてなる動画像の場合、画像関連付部５ｇは、ユーザによる操作入力部３の所定操作に基づいて指定されたユーザ所望の位置（例えば、最終フレーム画像の後ろ等）に、クレジット画像データＣに対応する画像（クレジット画像）を追加する。
また、例えば、ｎ次著作物が静止画像の場合、画像関連付部５ｇは、ユーザによる操作入力部３の所定操作に基づいて指定されたユーザ所望の位置（例えば、当該静止画像上の指定した位置等）にクレジット画像データＣに対応する画像が配置されるように追加する。
なお、画像関連付部５ｇは、ｎ次著作物の予めデフォルトとして指定されている位置にクレジット画像データＣに基づく画像が表示されるように、当該ｎ次著作物とクレジット画像データＣとを関連付けても良い。
【００３４】
編集指示部５ｈは、ｎ次著作物の編集を指示する。
即ち、編集指示部（編集指示手段）５ｈは、ｎ次著作物の生成に用いられたコンテンツ情報（著作物）Ｄと関連付けられ、当該コンテンツ情報Ｄを所定の利用規則（例えば、クリエイティブ・コモンズ・ライセンスの利用規則）に従って利用するための利用条件情報に基づいて、ｎ次著作物の編集を指示する。
具体的には、編集指示部５ｈは、第１条件取得部５ｃにより取得された利用条件情報に基づいて、ｎ次著作物においてコンテンツ情報Ｄの利用条件を満たしているか否かを判定する。例えば、編集指示部５ｈは、所定の記憶手段（例えば、メモリ２等）に記憶されているラインセンス情報テーブルＴ２（図４参照）を読み出して取得し、ｎ次著作物の素材となった各コンテンツ情報Ｄに含まれているライセンスに応じて、ｎ次著作物において指定することができるライセンスを特定する。そして、編集指示部５ｈは、ｎ次著作物のクレジット画像データＣを参照して、特定されたライセンスをｎ次著作物が満たしているか否かを判定する。具体的には、例えば、図４に示すように、ｎ次著作物の素材となったコンテンツ情報Ｄのライセンスが「BY」の場合には、ｎ次著作物においてはラインセンスとして、「○」印で表された「BY」を指定することでき、また、例えば、ｎ次著作物の素材となったコンテンツ情報Ｄのライセンスが「BY-NC」の場合には、ｎ次著作物においてはラインセンスとして、「○」印で表された「BY-NC」か「BY-NC-ND」か「BY-NC-SA」を指定することできる。
なお、ラインセンス情報テーブルＴ２の内容は、一例であってこれに限られるものではなく、適宜任意に変更可能である。
なお、ｎ次著作物において指定することができるライセンスを特定した際に、当該ｎ次著作物自体の利用条件情報を所定の記憶手段に記憶しても良い。
【００３５】
そして、編集指示部５ｈは、当該判定の結果、コンテンツ情報Ｄの利用条件を満たしていないと判定された場合に、コンテンツ情報Ｄの利用条件を満たすようにｎ次著作物の編集をユーザに指示する。具体的には、編集指示部５ｈは、ｎ次著作物の編集を指示する編集指示画面（図示略）を表示部６に表示させるための表示制御指示を表示制御部７に出力する。例えば、編集指示部５ｈは、ｎ次著作物の素材として不適当なコンテンツ情報Ｄの削除やコンテンツ情報Ｄの利用態様の変更等を指示する編集指示画面に係る表示制御指示を表示制御部７に出力する。
表示制御部７は、編集指示部５ｈから出力された表示制御指示が入力されると、当該表示制御指示に従って所定の編集指示画面を表示部６に表示させる。
この状態で、ユーザによる操作入力部３の所定操作に基づいて、不適当なコンテンツ情報Ｄの削除やコンテンツ情報Ｄの利用態様の変更等が行われる毎に、編集指示部５ｈは、ｎ次著作物においてコンテンツ情報Ｄの利用条件を満たしているか否かの判定を繰り返し実行する。
【００３６】
表示部６は、例えば、ＬＣＤ（Liquid Crystal Display）、ＣＲＴ（Cathode Ray Tube）等のディスプレイから構成され、表示制御部７の制御下にて各種情報を表示画面に表示する。
【００３７】
表示制御部７は、表示用データを生成して表示部６の表示画面に表示させる制御を行う。
具体的には、表示制御部７は、例えば、ＧＰＵ（Graphics Processing Unit）やＶＲＡＭ（Video Random Access Memory）等を具備するビデオカード（図示略）を備えている。そして、ｎ次著作物を再生する際に、表示制御部７は、中央制御部１からの表示指示に従って、ｎ次著作物の表示用データをビデオカードによる描画処理によって生成し、表示部６から出力させる。
【００３８】
スピーカ８は、放音制御部９の制御下にて、所定の音を放音する。
即ち、ｎ次著作物を再生する際に、放音制御部９は、中央制御部１からの放音指示に従って、ｎ次著作物の音声データをデータ変換部（図示略）によりＤ／Ａ変換処理してスピーカ８から出力させる。
【００３９】
＜著作物生成処理＞
次に、著作物生成装置１００による著作物生成処理について、図５を参照して説明する。
図５は、著作物生成処理に係る動作の一例を示すフローチャートである。
【００４０】
図５に示すように、先ず、ｎ次著作物生成部５ａは、ユーザによる操作入力部３の所定操作に基づいて、ｎ次著作物を生成する（ステップＳ１）。具体的には、ｎ次著作物生成部５ａは、例えば、サーバ２００により公開されている複数のコンテンツ情報Ｄ、…の中で、ユーザによる操作入力部３の所定操作に基づいて指定されたユーザ所望のコンテンツ情報Ｄや、ユーザが独自に創作した創作物等を取得する。そして、ｎ次著作物生成部５ａは、素材として取得されたコンテンツ情報Ｄや創作物等をユーザ所望の順序に並べ変えたりしてｎ次著作物を生成する。
【００４１】
次に、判定部５ｂは、素材として取得されたコンテンツ情報Ｄ等に、クリエイティブ・コモンズ・ライセンスの利用規則に従って利用するための利用条件情報が含まれているか否かを判定する（ステップＳ２）。
ここで、利用条件情報が含まれていると判定されると（ステップＳ２；ＹＥＳ）、第１条件取得部５ｃは、ｎ次著作物の生成に用いられた各コンテンツ情報Ｄ等から利用条件情報を抽出して取得する（ステップＳ３）。
【００４２】
続けて、出所情報取得部５ｅは、ｎ次著作物の生成に用いられた各コンテンツ情報Ｄ等から出所情報を取得する（ステップＳ４）。具体的には、出所情報取得部５ｅは、各コンテンツ情報Ｄ等に含まれている、「タイトル名」、「著作者名」、「公開された年」等の出所情報をそれぞれ取得して、各コンテンツ情報Ｄの識別情報「ＩＤ」と対応付けてコンテンツ情報テーブルＴ１（図２参照）を生成する。
なお、出所情報が含まれていないコンテンツ情報Ｄについては、例えば、出所情報取得部５ｅは、ユーザによる操作入力部３の所定操作に基づいて入力された出所情報を取得して、コンテンツ情報テーブルＴ１を生成しても良い。
【００４３】
次に、画像生成部５ｆは、出所情報取得部５ｅにより取得された出所情報をクリエイティブ・コモンズ・ライセンスの利用規則に従って表示するためのクレジット画像データＣを生成する（ステップＳ５）。具体的には、画像生成部５ｆは、複数のコンテンツ情報Ｄ、…の使用タイミングや再生時間等を表すタイムテーブルに沿って、複数のコンテンツ情報Ｄ、…に対応する出所情報（例えば、「タイトル名」や「著作者名」等）を並べたクレジット画像データＣを生成する。
続けて、画像関連付部５ｇは、例えば、ユーザによる操作入力部３の所定操作に基づいて指定されたユーザ所望の位置（例えば、最終フレーム画像の後ろ等）に、クレジット画像データＣに対応するクレジット画像を追加する（ステップＳ６）。
【００４４】
一方、ステップＳ２にて、利用条件情報が含まれていないと判定されると（ステップＳ２；ＮＯ）、報知制御部５ｄは、表示部６やスピーカ８等を制御して、ｎ次著作物の生成に用いられた著作物に利用条件情報が含まれていない旨を所定の報知態様で報知する（ステップＳ７）。そして、ユーザによる操作入力部３の所定操作に基づいて利用条件が指定されると、編集処理部５は、指定されたユーザ所望の利用条件をｎ次著作物の利用条件として設定する（ステップＳ８）。
【００４５】
ステップＳ６或いはＳ８の処理後、編集指示部５ｈは、ｎ次著作物がコンテンツ情報Ｄの利用条件を満たしているか否かを判定する（ステップＳ９）。具体的には、編集指示部５ｈは、ラインセンス情報テーブルＴ２（図４参照）に基づいて、ｎ次著作物の素材となった各コンテンツ情報Ｄに含まれているライセンスに応じてｎ次著作物において指定することができるライセンスを特定し、特定されたライセンスをｎ次著作物が満たしているか否かを判定する。
【００４６】
ステップＳ９にて、コンテンツ情報Ｄの利用条件を満たしていないと判定されると（ステップＳ９；ＮＯ）、編集指示部５ｈは、ｎ次著作物の編集を指示する編集指示画面に係る表示制御指示を表示制御部７に出力し、表示制御部７は、入力された表示制御指示に従って所定の編集指示画面を表示部６に表示させる（ステップＳ１０）。
その後、編集指示部５ｈは、例えば、ユーザによる操作入力部３の所定操作に基づいて、不適当なコンテンツ情報Ｄの削除やコンテンツ情報Ｄの利用態様の変更等のｎ次著作物の編集が行われたか否かを判定する（ステップＳ１１）。
ここで、ｎ次著作物の編集が行われていないと判定されると（ステップＳ１１；ＮＯ）、編集指示部５ｈは、ｎ次著作物の編集が行われたと判定（ステップＳ１１；ＹＥＳ）されるまで、当該判定処理を繰り返し実行する（ステップＳ１１）。
【００４７】
ステップＳ１１にて、ｎ次著作物の編集が行われたと判定されると（ステップＳ１１；ＹＥＳ）、編集指示部５ｈは、処理をステップＳ９に戻し、ｎ次著作物がコンテンツ情報Ｄの利用条件を満たしているか否かを判定する（ステップＳ９）。
上記の各処理は、ステップＳ９にて、コンテンツ情報Ｄの利用条件を満たしていると判定されるまで逐次実行される。
【００４８】
ステップＳ９にて、コンテンツ情報Ｄの利用条件を満たしていると判定されると（ステップＳ９；ＹＥＳ）、編集処理部５は、生成されたｎ次著作物のデータを所定の記憶手段に記憶させて（ステップＳ１２）、当該著作物生成処理を終了する。
なお、ステップＳ１２では、例えば、ユーザによる操作入力部３の所定操作に基づいて別途入力されたｎ次著作物自体の利用条件情報や出所情報を、ｎ次著作物のデータとして前記所定の記憶手段に記憶させても良い。
【００４９】
以上のように、本実施形態の著作物生成装置１００によれば、ｎ次著作物の生成に用いられた著作物の出所情報を取得して、著作物の利用に係る所定の利用規則（例えば、クリエイティブ・コモンズ・ライセンス等）に従って表示するためのクレジット画像データＣを生成し、生成されたクレジット画像データＣに基づく画像がｎ次著作物とともに表示されるように、当該ｎ次著作物とクレジット画像データＣとを関連付けるので、ｎ次著作物の素材となる著作物の数が多くなっても、当該著作物の出所を示す出所情報を著作物の利用に係る所定の利用規則に従って表示するためのクレジット画像データＣを自動的に生成してｎ次著作物と関連付けることで、ｎ次著作物の素材となる著作物の著作権に配慮してｎ次著作物の創作をより容易に行うことができる。
【００５０】
また、ｎ次著作物の生成に用いられた著作物と関連付けられ、当該著作物を所定の利用規則に従って利用するための利用条件情報に基づいて、ｎ次著作物の編集を指示するので、ｎ次著作物の素材となる著作物を所定の利用規則に従って利用するための利用条件を考慮して、ｎ次著作物の創作をより適正に行うことができる。具体的には、ｎ次著作物において著作物の利用条件を満たしているか否かを判定し、著作物の利用条件を満たしていないと判定された場合に、ｎ次著作物の生成に用いられた著作物の利用条件を満たすようにｎ次著作物の編集を指示するので、著作物の利用条件を満たしていないような態様で当該著作物を利用してｎ次著作物を創作することを制限することができる。
このとき、ｎ次著作物の生成に用いられた著作物に利用条件情報が含まれているか否かを判定し、著作物に利用条件情報が含まれていると判定された場合に、当該著作物から利用条件情報を取得するので、ｎ次著作物の素材となる著作物と関連付けられた利用条件情報の取得を適正に行うことができ、当該利用条件を考慮してｎ次著作物の創作をより適正に行うことができる。
また、著作物に利用条件情報が含まれていないと判定された場合には、著作物に利用条件情報が含まれていない旨を報知するので、例えば、サーバ２００以外から取得した著作物を用いてｎ次著作物を生成する場合等であっても、当該著作物の著作権に配慮することができる。
【００５１】
なお、本発明は、上記実施形態に限定されることなく、本発明の趣旨を逸脱しない範囲において、種々の改良並びに設計の変更を行っても良い。
以下に、著作物生成装置１００の変形例について詳細に説明する。ここで、著作物生成装置１００の各変形例の構成は、以下に詳細に説明する以外の点で上記実施形態と略同様であり、詳細な説明は省略する。
【００５２】
＜変形例１＞
図６は、変形例１の著作物生成装置１００Ａの概略構成を示すブロック図である。
図６に示すように、変形例１の著作物生成装置１００Ａと所定の通信ネットワークＮを介して接続されるサーバ２００Ａは、著作物を識別する識別情報と当該著作物を所定の利用規則に従って利用するための利用条件情報（例えば、クリエイティブ・コモンズ・ライセンスの利用規則に従って利用するための利用条件情報）とを対応付けて記憶する利用条件記憶テーブル（利用条件記憶手段）Ｔ３を具備している。
変形例１の著作物生成装置１００Ａの第２条件取得部５ｉは、利用条件記憶テーブルＴ３内で、ｎ次著作物の生成に用いられた著作物の識別情報と対応付けられている利用条件情報を取得する。具体的には、サーバ２００Ａは、ｎ次著作物の生成に用いられた著作物の識別情報と対応付けられている利用条件情報を所定の通信ネットワークＮを介して送信する。著作物生成装置１００Ａにあっては、送信された利用条件情報が通信制御部４により受信されると、第２条件取得部５ｉは、通信制御部４により受信された利用条件情報を取得する。
【００５３】
そして、編集指示部５ｈは、第２条件取得部５ｉにより取得された利用条件情報に基づいて、ｎ次著作物においてコンテンツ情報Ｄの利用条件を満たしているか否かを判定する。
【００５４】
従って、変形例１の著作物生成装置１００Ａによれば、著作物を識別する識別情報と当該著作物の利用条件情報とを対応付けて記憶する利用条件記憶テーブルＴ３から、ｎ次著作物の生成に用いられた著作物の識別情報と対応付けられている利用条件情報を取得するので、ｎ次著作物の素材となる著作物と関連付けられた利用条件情報の取得を適正に行うことができ、当該利用条件を考慮してｎ次著作物の創作をより適正に行うことができる。
【００５５】
＜変形例２＞
変形例２の著作物生成装置は、ｎ次著作物の生成に用いられた著作物と関連付けられた出所情報を出所情報取得部（第１取得手段）５ｅにより複数取得し、取得された複数の出所情報を互いに関連付けてｎ次著作物の出所情報としてメモリ（出所情報記憶手段）２に記憶する。
即ち、変形例２の著作物生成装置は、上記実施形態や変形例１の著作物生成装置１００、１００Ａのように、出所情報を著作物の利用に係る所定の利用規則（例えば、クリエイティブ・コモンズ・ライセンスの利用規則）に従って表示するためのクレジット画像を生成して、ｎ次著作物と関連付けるのではなく、取得された複数の著作物の出所情報を互いに関連付けてｎ次著作物の出所情報（例えば、出所情報のテキストデータ等）として記憶する構成を採っている。
さらに、ｎ次著作物の生成に用いられた著作物の利用条件情報を第２条件取得部（第２取得手段）５ｉにより取得し、取得した著作物の利用条件情報をメモリ（利用条件記憶手段）２に記憶しても良い。
また、ユーザによる操作入力部３の所定操作に基づいて別途入力されたｎ次著作物自体の出所情報をｎ次著作物の出所情報としてメモリ２に記憶しても良い。さらに、ユーザによる操作入力部３の所定操作に基づいて別途入力されたｎ次著作物自体の利用条件情報を前記出所情報と関連付けて、メモリ２に記憶したりしても良い。
【００５６】
このような構成としても、その後に、メモリ２にｎ次著作物の出所情報として記憶されている複数の出所情報を用いることで、画像生成部５ｆは、当該複数の出所情報を表示するためのクレジット画像データＣ、即ち、例えば、出所情報を著作物の利用に係る所定の利用規則（例えば、クリエイティブ・コモンズ・ライセンスの利用規則）に従って表示するためのクレジット画像データＣを生成することができる。
従って、ｎ次著作物の素材となる著作物の数が多くなっても、ｎ次著作物のクレジット画像データＣの生成を容易に行うことができ、ｎ次著作物の素材となる著作物の著作権に配慮してｎ次著作物の創作をより容易に行うことができる。
また、ｎ次著作物の生成に用いられた著作物の利用条件情報を記憶した場合、ｎ次著作物の生成に用いられた著作物の利用条件を把握でき、ｎ次著作物の素材となる著作物の数が多くなっても利用規則に従ってｎ次著作物の創作を容易に行うことができる。また、ｎ次著作物を素材としてｎ＋１次著作物の創作を行う場合にも、ｎ次著作物の生成に用いられた著作物及びｎ次著作物自体の前記出所情報と前記利用条件を把握できるため、ｎ＋１次著作物の創作を容易に行うことができる。
【００５７】
なお、上記実施形態等にあっては、ｎ次著作物の生成に用いられた著作物と関連付けられた利用条件情報に基づいて、ｎ次著作物の編集を指示するような構成としたが、一例であってこれに限られるものではなく、編集指示部５ｈを具備するか否かは適宜任意に変更可能である。即ち、例えば、ｎ次著作物において素材となる著作物を利用する態様を、当該著作物と関連付けられた利用条件情報に基づいて自動的に制限することで、必然的に当該著作物を所定の利用規則に従って利用するための利用条件を満たすような構成としても良い。
【００５８】
また、上記実施形態等にあっては、ユーザ所望のｎ次著作物を生成するようにしたが、一例であってこれに限られるものではなく、ｎ次著作物生成部５ａを具備するか否かは適宜任意に変更可能である。即ち、著作物生成装置１００（１００Ａ）は、必ずしもｎ次著作物生成部５ａを具備する必要はなく、例えば、外部機器（図示略）を用いて生成されたｎ次著作物を取得して利用するような構成であっても良い。
【００５９】
また、上記実施形態等にあっては、著作物の利用に係る所定の利用規則として、クリエイティブ・コモンズ・ライセンスを例示したが、一例であってこれに限られるものではなく、適宜任意に変更可能である。
【００６０】
また、クリエイティブ・コモンズ・ライセンスの利用条件情報の「表示」は、著作権者の氏名や作品タイトルをテキストで表示させるだけではなく、ロゴ画像で表示させたり、音声を発音させても良い。この場合も、上記実施形態等と同様に、ユーザによる操作入力部３の所定操作に基づいてｎ次著作物内の指定されたユーザ所望の位置に、ロゴ画像を表示させたり、音声を発音させることが可能である。
【００６１】
また、例えば、ＤＪプレイのようにｎ次著作物の創作がリアルタイムに行われ、そのｎ次著作物が保存されないまま、リアルタイムに視聴される場合もある。
具体的には、例えば、ｎ次著作物の創作に利用するｎ−１次著作物の楽曲に、ＤＪｍｉｘ用のソフト等を使用してエフェクトを付加させ、エフェクトを付加した楽曲をリアルタイムで再生したり、創作した動画と同期させて動画内で再生する場合などである。
この場合のクリエイティブ・コモンズ・ライセンスの利用条件情報の「表示」は、リアルタイムに表示しても良い。楽曲や動画をリアルタイムで再生する際に、楽曲や動画の所定の場所で、ｎ−１次著作物やｎ次著作物の情報を表示させることが可能である。ｎ次著作物の創作が終わった後、例えば、ＤＪプレイの実演が終わった後にｎ−１次著作物やｎ次著作物の情報を表示しても良い。
このように、リアルタイムでｎ次著作物の創作が行われる場合にも、上記実施形態等と同様にｎ−１次著作物やｎ次著作物の情報を表示させることが可能である。
【００６２】
加えて、上記実施形態にあっては、取得手段、生成手段、表示情報関連付け手段としての機能を、中央制御部１の制御下にて、出所情報取得部５ｅ、画像生成部５ｆ、画像関連付部５ｇが駆動することにより実現される構成としたが、これに限られるものではなく、中央制御部１のＣＰＵによって所定のプログラム等が実行されることにより実現される構成としても良い。
即ち、プログラムを記憶するプログラムメモリに、取得処理ルーチン、生成処理ルーチン、表示情報関連付け処理ルーチンを含むプログラムを記憶しておく。そして、取得処理ルーチンにより中央制御部１のＣＰＵを、ｎ（ｎ；２以上の自然数）次著作物の生成に用いられた著作物の出所を示す出所情報を取得する手段として機能させるようにしても良い。また、生成処理ルーチンにより中央制御部１のＣＰＵを、取得された出所情報をｎ次著作物の生成に用いられた著作物の利用に係る所定の利用規則に従って表示するための表示情報を生成する手段として機能させるようにしても良い。また、表示情報関連付け処理ルーチンにより中央制御部１のＣＰＵを、生成された表示情報がｎ次著作物とともに表示されるように、ｎ次著作物と表示情報とを関連付ける手段として機能させるようにしても良い。
【００６３】
また、プログラムを記憶するプログラムメモリに、取得処理ルーチン、出所情報記憶処理ルーチンを含むプログラムを記憶しておく。そして、取得処理ルーチンにより中央制御部１のＣＰＵを、ｎ（ｎ；２以上の自然数）次著作物の生成に用いられた著作物の出所を示す出所情報を複数取得する手段として機能させるようにしても良い。また、出所情報記憶処理ルーチンにより中央制御部１のＣＰＵを、取得された複数の出所情報を互いに関連付けてｎ次著作物の出所情報として記憶する手段として機能させるようにしても良い。
【００６４】
同様に、編集指示手段、判定手段、第２取得手段、報知手段、生成手段についても、中央制御部１のＣＰＵによって所定のプログラム等が実行されることにより実現される構成としても良い。
【００６５】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００６６】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ｎ（ｎ；２以上の自然数）次著作物の生成に用いられた著作物の出所を示す出所情報を取得する第１取得手段と、
前記第１取得手段により取得された前記出所情報を前記ｎ次著作物の生成に用いられた著作物の利用に係る所定の利用規則に従って表示するための表示情報を生成する生成手と、
前記生成手段により生成された表示情報が前記ｎ次著作物とともに表示されるように、当該ｎ次著作物と前記表示情報とを関連付ける表示情報関連付け手段と、
を備えることを特徴とする著作物生成装置。
＜請求項２＞
前記ｎ次著作物は、複数のフレーム画像から構成される動画であり、
前記表示情報関連付け手段は、
前記生成手段により生成された前記表示情報に基づくフレーム画像を、前記ｎ次著作物の複数のフレーム画像に追加することを特徴とする請求項１に記載の著作物生成装置。
＜請求項３＞
前記ｎ次著作物の生成に用いられた前記著作物と関連付けられ、当該著作物を前記所定の利用規則に従って利用するための利用条件情報に基づいて、前記ｎ次著作物の編集をユーザに指示する編集指示手段と、
前記ｎ次著作物の生成に用いられた前記著作物に前記利用条件情報が含まれているか否かを判定する判定手段と、
前記判定手段により前記著作物に前記利用条件情報が含まれていると判定された場合に、当該著作物から前記利用条件情報を取得する第２取得手段と、
前記判定手段により前記著作物に前記利用条件情報が含まれていないと判定された場合に、前記著作物に前記利用条件情報が含まれていない旨を報知する報知手段と、を備え、
前記編集指示手段は、
前記ｎ次著作物が前記著作物の利用条件を満たしているか否かを判定し、当該判定の結果、前記著作物の利用条件を満たしていないと判定された場合に、前記ｎ次著作物の生成に用いられた著作物の利用条件を満たすように前記ｎ次著作物の編集をユーザに指示する一方で、前記判定手段により前記著作物に前記利用条件情報が含まれていると判定された場合に、前記第２取得手段により取得された前記利用条件情報に基づいて、前記ｎ次著作物の編集をユーザに指示することを特徴とする請求項１または２に記載の著作物生成装置。
＜請求項４＞
前記著作物を識別する識別情報と当該著作物の前記利用条件情報とを対応付けて記憶する利用条件記憶手段と、
前記利用条件記憶手段から前記ｎ次著作物の生成に用いられた前記著作物の前記識別情報と対応付けられている前記利用条件情報を取得する第２取得手段と、を更に備え、
前記編集指示手段は、
前記第２取得手段により取得された前記利用条件情報に基づいて、前記ｎ次著作物の編集をユーザに指示することを特徴とする請求項３に記載の著作物生成装置。
＜請求項５＞
ｎ（ｎ；２以上の自然数）次著作物の生成に用いられた著作物の出所を示す出所情報を複数取得する第１取得手段と、
前記第１取得手段により取得された前記複数の出所情報を互いに関連付けて前記ｎ次著作物の出所情報として記憶する出所情報記憶手段と、
を備えることを特徴とする著作物生成装置。
＜請求項６＞
前記出所情報記憶手段は、
前記ｎ次著作物自体の出所を示す出所情報を更に記憶することを特徴とする請求項５に記載の著作物生成装置。
＜請求項７＞
前記ｎ次著作物の生成に用いられた著作物の当該著作物を所定の利用規則に従って利用するための利用条件情報を取得する第２取得手段と、
前記第２取得手段により取得された前記利用条件情報を互いに関連付けて前記ｎ次著作物の利用条件情報として記憶する利用条件記憶手段と、
を備えることを特徴とする請求項５または６に記載の著作物生成装置。
＜請求項８＞
前記利用条件記憶手段は、
前記ｎ次著作物自体の前記利用条件情報を更に記憶することを特徴とする請求項７に記載の著作物生成装置。
＜請求項９＞
前記出所情報記憶手段に記憶された出所情報を前記ｎ次著作物の生成に用いられた著作物の利用に係る所定の利用規則に従って表示するための表示情報を生成する生成手段を更に備えることを特徴とする請求項５に記載の著作物生成装置。
＜請求項１０＞
前記生成手段により生成された前記表示情報と当該ｎ次著作物とを関連付けることを特徴とする請求項９に記載の著作物生成装置。
＜請求項１１＞
著作物生成装置を用いた著作物生成方法であって、
ｎ（ｎ；２以上の自然数）次著作物の生成に用いられた著作物の出所を表す出所情報を取得する処理と、
取得された前記出所情報を前記ｎ次著作物の生成に用いられた著作物の利用に係る所定の利用規則に従って表示するための表示情報を生成する処理と、
生成された表示情報が前記ｎ次著作物とともに表示されるように、当該ｎ次著作物と前記表示情報とを関連付ける処理と、
を含むことを特徴とする著作物生成方法。
＜請求項１２＞
著作物生成装置を用いた著作物生成方法であって、
ｎ（ｎ；２以上の自然数）次著作物の生成に用いられた著作物の出所を示す出所情報を複数取得する処理と、
取得された複数の出所情報を互いに関連付けて前記ｎ次著作物の出所情報として記憶する処理と、
を含むことを特徴とする著作物生成方法。
＜請求項１３＞
著作物生成装置のコンピュータを、
ｎ（ｎ；２以上の自然数）次著作物の生成に用いられた著作物の出所を表す出所情報を取得する取得手段、
前記取得手段により取得された前記出所情報を前記ｎ次著作物の生成に用いられた著作物の利用に係る所定の利用規則に従って表示するための表示情報を生成する生成手段、
前記生成手段により生成された表示情報が前記ｎ次著作物とともに表示されるように、当該ｎ次著作物と前記表示情報とを関連付ける表示情報関連付け手段、
として機能させることを特徴とするプログラム。
＜請求項１４＞
著作物生成装置のコンピュータを、
ｎ（ｎ；２以上の自然数）次著作物の生成に用いられた著作物の出所を示す出所情報を複数取得する取得手段、
前記取得手段により取得された前記複数の出所情報を互いに関連付けて前記ｎ次著作物の出所情報として記憶する出所情報記憶手段、
として機能させることを特徴とするプログラム。
【符号の説明】
【００６７】
１００、１００Ａ  著作物生成装置
１      中央制御部
２      メモリ
３      操作入力部
４      通信制御部
５      編集処理部
５ｂ    判定部
５ｃ    第１条件取得部
５ｄ    報知制御部
５ｅ    出所情報取得部
５ｆ    画像生成部
５ｇ    画像関連付部
５ｈ    編集指示部
５ｉ    第２条件取得部
６      表示部
８      スピーカ
２００、２００Ａ  サーバ
Ｔ３    利用条件記憶テーブル
【図１】
2015064871.tif 000003
【図２】
2015064871.tif 000004
【図３】
2015064871.tif 000005
【図４】
2015064871.tif 000006
【図５】
2015064871.tif 000007
【図６】
2015064871.tif 000008